(57)【要約】      （修正有）【課題】磁力を利用して例えば手ぶれを防ぐ印鑑セット及びスタンプにも使用する事が出来る押圧装置を提供する。【解決手段】支持台４に貫通孔のある第１磁石３を固着させ、第１磁石３の貫通孔内に第２磁石６の固着した押圧用移動部材２を内包させて、吸引力により空中に浮かし、押圧用移動部材２を直接手で持たず、押圧できるようにして手ぶれを防止することができる。かつ、解除により元の位置に退却可能に構成されている。【選択図】図２
2008044343.tif 000002
【特許請求の範囲】
【請求項１】
被押圧面に設置可能な設置面を有する支持台と、
前記支持台に固定され、被押圧面に対して進退方向に貫通する貫通孔のある第１磁石と、
所定範囲進退が可能となるように前記貫通孔内に内包された押圧用移動部材と、
前記押圧用移動部材の所定範囲進退を妨げることなく前記押圧用移動部材に設けられ、前記第１磁石との間に吸引力を作用可能に構成された第２磁石と、を含み、
前記吸引力に逆らいながら前記押圧用移動部材の操作端を押圧操作することによって前記押圧用移動部材の自由端の端面又は先端が前記支持台に妨げられることなく前記被押圧面に接触可能、かつ、押圧操作の解除に伴い前記押圧用移動部材が前記吸引力の作用によって退却可能に構成されている
ことを特徴とする押圧装置。
【請求項２】
前記押圧用移動部材の前記第１磁石を挟んだ前記設置面反対側には、前期押圧用移動部材の進退を妨げないように構成した第３磁石を、さらに設けてあり、
前記第３磁石と前記第１磁石との間に作用する反発力が、押圧操作された前記押圧用移動部材の退却を補助可能に構成されている
ことを特徴とする請求項１記載の押圧装置。
【請求項３】
前記支持台の前記第１磁石から見た前記設置面側には、前期押圧用移動部材の進退を妨げないように構成した第４磁石が、さらに設けられ、
前記第４磁石と前記第２磁石との間に作用する反発力が、押圧操作された前記押圧用移動部材の退却を補助可能に構成されている
ことを特徴とする請求項１又は２記載の押圧装置。
【請求項４】
被押圧面に設置可能な設置面を有する支持台と、
前記支持台に固定され、被押圧面に対して進退方向に貫通する貫通孔のある第１磁石と、
所定範囲進退が可能となるように前記貫通孔内に内包された押圧用移動部材と、
前記押圧用移動部材の所定範囲進退を妨げることなく前記押圧用移動部材に設けられ、前記第１磁石との間に反発力を作用可能に構成された第２磁石と、
前記第１磁石と第２磁石との間に作用する反発力に逆らいながら前記押圧用移動部材を前記貫通孔内に内包された状態に保持するための保持構造と、を含み、
前記反発力に逆らいながら前記押圧用移動部材の操作端を押圧操作することによって前記押圧用移動部材の自由端の端面又は先端が前記支持台及び前期保持構造に妨げられることなく前記被押圧面に接触可能、かつ、押圧操作の解除に伴い前記押圧用移動部材が前記反発力の作用によって退却可能に構成されている
ことを特徴とする押圧装置。
【請求項５】
前記保持構造が、前記第１磁石と前記第２磁石との間に作用する反発力と釣り合うように重量構成された前記押圧用移動部材、又は、前記押圧用移動部材側に設けられた一方の係止構造と前記第１磁石側に設けられた他方の係止構造と、によりそれぞれ構成されている
ことを特徴とする請求項４記載の押圧装置。
【請求項６】
前記押圧用移動部材の自由端側が、前記自由端の端面を押印面又は押印面を有する押印部材を貼り付けるための貼り付け面とする押印部材によって構成されている
ことを特徴とする請求項１乃至５いずれか記載の押圧装置。
【発明の詳細な説明】
【技術分野】
【０００１】
本発明は、例えば手ぶれ防止機能を備えた磁石スプリング式印鑑及びスタンプに使用することの出来る押圧装置に関する。
【背景技術】
【０００２】
近年、磁力や磁石を利用した種々の商品が開発されている。磁力は例えば、モーター、電磁弁、健康器具等に用いられる他、医療分野、教育分野、交通手段にも利用されており、さらに今後もその利用の拡大が見込まれている。
【０００３】
一方、朱肉と一体型印鑑セットの例えば、特許文献１も印鑑の一例が記載されている。但し、特許文献１に於いては、印鑑に磁力は利用されず、構成もシンプルとは言えない。
【特許文献１】特開平８−１３２７２１号公報
【発明の開示】
【発明が解決しようとする課題】
【０００４】
従来の技術に於いて、コイルバネ、板バネなどは、素材の弾力性を利用するが、今度は、バネ自体を何らかの工夫で支持する構造や加工が必要になる。又、バネを仕込む２つの対象物間に、障害壁がある場合はバネを仕込むことは出来ない。
【０００５】
以上の現状を鑑み、本発明は磁力を利用して障害壁を挟んで、磁石式バネを仕込んだ押圧装置を提供することを目的とする。
【課題を解決するための手段】
【０００６】
上記の課題を解決すべく、本発明は以下の構成を提供する。
請求項１に係る発明は、被押圧面に設置可能な設置面を有する支持台と、前記支持台に固定され、被押圧面に対して進退方向に貫通する貫通孔のある第１磁石と、所定範囲進退が可能となるように前記貫通孔内に内包された押圧用移動部材と、前記押圧用移動部材の所定範囲進退を妨げることなく前記押圧用移動部材に設けられ、前記第１磁石との間に吸引力を作用可能に構成された第２磁石と、を含み、前記吸引力に逆らいながら前記押圧用移動部材の操作端を押圧操作することによって前記押圧用移動部材の自由端の端面又は先端が前記支持台に妨げられることなく前記被押圧面に接触可能、かつ、押圧操作の解除に伴い前記押圧用移動部材が前記吸引力の作用によって退却可能に構成されていることを特徴とする押圧装置に関する。
【０００７】
請求項２に係る発明は、前記押圧用移動部材の前記第１磁石を挟んだ前記設置面反対側には、前期押圧用移動部材の進退を妨げないように構成した第３磁石を、さらに設けてあり、前記第３磁石と前記第１磁石との間に作用する反発力が、押圧操作された前記押圧用移動部材の退却を補助可能に構成されていることを特徴とする請求項１記載の押圧装置を提供するものである。
【０００８】
請求項３に係る発明は、前記支持台の前記第１磁石から見た前記設置面側には、前期押圧用移動部材の進退を妨げないように構成した第４磁石が、さらに設けられ、前記第４磁石と前記第２磁石との間に作用する反発力が、押圧操作された前記押圧用移動部材の退却を補助可能に構成されていることを特徴とする請求項１又は２記載の押圧装置を提供するものである。
【０００９】
請求項４に係る発明は、被押圧面に設置可能な設置面を有する支持台と、前記支持台に固定され、被押圧面に対して進退方向に貫通する貫通孔のある第１磁石と、所定範囲進退が可能となるように前記貫通孔内に内包された押圧用移動部材と、前記押圧用移動部材の所定範囲進退を妨げることなく前記押圧用移動部材に設けられ、前記第１磁石との間に反発力を作用可能に構成された第２磁石と、前記第１磁石と第２磁石との間に作用する反発力に逆らいながら前記押圧用移動部材を前記貫通孔内に内包された状態に保持するための保持構造と、を含み、前記反発力に逆らいながら前記押圧用移動部材の操作端を押圧操作することによって前記押圧用移動部材の自由端の端面又は先端が前記支持台及び前期保持構造に妨げられることなく前記被押圧面に接触可能、かつ、押圧操作の解除に伴い前記押圧用移動部材が前記反発力の作用によって退却可能に構成されていることを特徴とする押圧装置に関する。
【００１０】
請求項５に係る発明は、前記保持構造が、前記第１磁石と前記第２磁石との間に作用する反発力と釣り合うように重量構成された前記押圧用移動部材、又は、前記押圧用移動部材側に設けられた一方の係止構造と前記第１磁石側に設けられた他方の係止構造と、によりそれぞれ構成されていることを特徴とする請求項４記載の押圧装置を提供するものである。
【００１１】
請求項６に係る発明は、前記押圧用移動部材の自由端側が、前記自由端の端面を押印面又は押印面を有する押印部材を貼り付けるための貼り付け面とする押印部材によって構成されていることを特徴とする請求項１乃至５いずれか記載の押圧装置を提供するものである。
【発明の効果】
【００１２】
本発明の請求項１記載の発明によれば、支持台に固着した第１磁石の貫通孔内に、第２磁石に固着した押圧用移動部材を吸引力で保持して浮かし、片方の手で支持台側面部を持ち設置面で書類などの被押圧面を押さえ、もう一方の手で真上から押し下げ手ぶれを防止し、また、磁力を利用するためシンプルで取り外しも簡単にできる押圧装置を提供することが出来る。
【００１３】
請求項２記載の発明によれば、押圧用移動部材に補助磁石である第３磁石を設け、手などによる押し下げ解除時に第１磁石と第２磁石との吸引力及び第１磁石と第３磁石との反発力の補助で、退却力を強くした請求項１記載の押圧装置を提供することが出来る。
【００１４】
請求項３記載の発明によれば、支持台に補助磁石である第４磁石を加え、押し下げ解除時に押圧用移動部材が第１磁石と第２磁石との吸引力及び第１磁石と第３磁石との反発力の補助、加えて第２磁石と第４磁石との反発力の補助で、退却力をさらに強くした請求項１または２記載押圧装置を提供することが出来る。
【００１５】
請求項４記載の発明によれば、支持台に固着した第１磁石の貫通孔内に、第２磁石に固着した押圧用移動部材を反発力で浮かし、所定範囲移動できるように構成してあり、反発力に逆らいながら押圧用移動部材を押し下げることにより、書類などの被押圧面を押圧し、押圧解除時に第１磁石と第２磁石との反発力で退却可能な押圧装置を提供することが出来る。
【００１６】
請求項５記載の発明によれば、押圧用移動部材が第１磁石の貫通孔内を所定範囲移動できるようにしてあり、かつ、抜け落ちないように構成した請求項４記載の押圧装置を提供することが出来る。
【００１７】
請求項６記載の発明によれば、押圧用移動部材の先端部に絵や文字などの情報を彫刻するか、彫刻可能な押印部材を固着させて押印できるようにした請求項１乃至５いずれか記載の押圧装置を提供することが出来る。
【発明を実施するための最良の形態】
【００１８】
各図を参照しながら、本発明を実施するための最良の形態（以下、「本実施形態」という）について説明する。
本実施形態には磁石の構成に於いて（基本磁石の構成）、（補助磁石を加える構成）、（反発力を使う構成）、の３つの方法があり、磁石の構成別に分け本実施形態を説明する。
【００１９】
尚、本実施形態（１）で用いる構成材と、同じ働きをする構成部（本実施形態２〜１０に適用する）には同一番号を付し説明を可能な限り省略する。
また、本実施形態に於いて各磁石の形状は、円形またはドーナツ型を使用するが、多数の変形例が考えられるため、図により最後に詳細を説明する。
【００２０】
ここで本実施形態の説明に入る前に基本磁石の構成と、磁石を利用した押圧装置を押印装置として使用する方法を先に説明して、後の詳細な構成図の説明、働きを分かり易くする。また、この押圧装置は単にスプリングとして、型押し、パンチなど、押印装置以外の装置にも適用可能であることはいうまでもない。
【００２１】
図１は磁石の厚み方向に磁極を向けた、第１磁石３と第２磁石６の相対関係をあらわした図である。図１（Ａ）に於いて、第１磁石３には厚み方向に貫通孔９があり、第２磁石６の形は、厚み方向に対して貫通孔９と略相似形（相似形でなくても機能する）で、かつ、通り抜けるサイズである。第２磁石６は、第１磁石３と磁極を反対方向に向け、磁石同士が向き合っている面は、同極同士（ＳＳ、ＮＮ）になり反発力(上下の矢印方向)が働いている。
【００２２】
しかし、図１（Ｂ）に於いて、反発力に逆らいながら更に接近させ、約４〜６ミリ（磁力の強さ、サイズにより更に変わる）まで近づけると、逆に第１磁石３の貫通孔９に吸引力で、第２磁石６が吸い込まれる。
この時、第１磁石の貫通孔を通して反対側の磁極の作用を受け、第２磁石６のＮ極から第２磁石６のＳ極へ流れていた磁力線方向が第１磁石３のＳ極へ、第１磁石３のＮ極から第１磁石３のＳ極へ流れていた磁力線方向が、第２磁石６のＳ極へそれぞれ流れが変わり、第１磁石３と第２磁石６とが連動して一つの磁力線構造を構築すると思われる。
よって、磁力のバランスが拮抗する地点、第１磁石３の貫通孔９に吸い込まれる方向(上下の矢印方向)に磁力の方向が逆転する。
【００２３】
図１（Ｃ）に於いて第２磁石６は、第１磁石３の貫通孔９内に吸い込まれ保持された形態であるが、第１磁石３と第２磁石６の磁極面はＳＮ極になり、裏面に於いても同様でＳＮ極になり第１磁石３の貫通孔内で、一部を接触させながら略水平状態に吸着する。よって第２磁石６には、上下（以下、進退は上下という）方向に対して所定範囲力を加え移動させても、吸引力で復帰（以下、退却は復帰という）して保持する。
【００２４】
第２磁石６と第１磁石３の厚さは、同じにしてあるのがＳＮの磁極面が最も接近し、強い磁力作用を受けると思われる。しかし、指で扱った時ここちよい状態にするには、第１磁石３と第２磁石６のサイズ、磁力の強さをそれぞれ調節する。
また、第２磁石６が第１磁石３より薄い場合も支障なく使用可能であり、第２磁石６は第１磁石３の貫通孔９内略中央で一部が第１磁石３に接触しながら略水平に保持される。
【００２５】
尚、第２磁石６が第１磁石３より厚くなり過ぎると、第２磁石６が貫通孔９内で斜めに傾き、使用方法によっては支障があるかもしれない。
【００２６】
では、この基本磁石の形態を押圧装置として使用する方法を説明する。
図２は本発明に関する押圧装置の基本形態である。押圧用移動部材２に第２磁石６を設け、支持台４に第１磁石３を固着させることにより、押圧用移動部材２は空中に保持され押圧装置として機能する。第２磁石６は押圧用移動部材２の操作端１側から上下方向に内部を刳り貫き装着後、押圧用移動部材２と同じ部材で埋めもどす。２８は書類（以下、被押圧面は書類という）である。
【００２７】
押圧する場合は、片方の手で支持台４の側面部を持ち書類２８に支持台４の設置面７を押し当て軽く固定する。
もう一方の手で、押圧用移動部材２の操作端１を真上から押し下げ、押圧用移動部材２の自由端５で書類２８を押圧することができる。また、片方の手だけで押圧用移動部材２の操作端１付近を持ち一連の動作を行うことも出来る。８は空洞領域である。
【００２８】
さて、本発明に関する押圧装置であるが、押圧用移動部材２の自由端５に彫刻(以下、文字、絵、記号などの情報を刻んだものをいう)を施すことにより押印装置（以下、「押圧装置」は「押印装置」という）として機能する。
【００２９】
（基本磁石の構成）
図３は本実施形態（１）の、印鑑セットの全体斜視図である。朱肉ケース１２、印鑑ケース１１、印鑑蓋１０で構成する。
【００３０】
図４は本実施形態（１）の、磁石部分を透視した全体構成図である。朱肉ケース１２に朱肉１６を装着し、印鑑ケース１１（以下、支持台は印鑑ケース１１である。）上部内側に第１磁石３が固着する。印鑑１５（以下、押圧用移動部材は印鑑１５である）は、上下方向に刳り貫いた上部の空洞部１４より第２磁石６を装着し、同じ印鑑材１３で埋め戻す。９は貫通孔であり、内部を印鑑１５が移動する。
【００３１】
図５は本実施形態（１）の、印鑑蓋１０を外した形態での磁石部分を透視した斜視図であるが、この形態で印鑑１５は朱肉に接しておらず、上から手で印鑑１５を押し下げ、朱肉を付着させることができる。
【００３２】
図６は本実施形態（１）の、印を押す場合の形態であるが、さらに朱肉ケース１２を外し、印鑑ケース１１の側面を手で持ち書類２８の上に置く。この形態で印鑑１５の最下端は、書類２８に接触しておらず真上から印鑑１５を押し下げ押印することができる。
従来の印鑑は、指で両側からつまむ形になるので、力点がどちらかの指にずれ易く、強く押し付けると手ぶれの原因となりやすい。本発明では、印鑑ケース１１を片手で固定し印鑑１５を持たず、真上から押し下げ押印できるため、力点を一点にして手ぶれを防止する。強く押圧したい場合は、手の平で押圧すると効果的である。
【００３３】
図７は本実施形態（２）の、全体斜視図である。朱肉ケース１２、朱肉蓋１７（以下、支持台は朱肉蓋１７でもある）、印鑑１５により構成する。
【００３４】
図８は本実施形態（２）の、磁石部分を透視した全体構成図である。朱肉１６を付着させる場合は、図７の形態で印鑑１５を真上から押圧する。１８は透明部材であり周囲を確認することができる。
尚、第２磁石６は前記本実施形態（１）と同じ方法で装着する（以降の実施形態に於いても同様である）。
【００３５】
図９は本実施形態（２）の、印を押す場合の磁石部分を透視した斜視図であるが、印鑑蓋１１の部分だけを書類上に置いた時、印鑑１５は書類２８に接触していない。この形態で印鑑１５を真上から押し下げ押印する。
【００３６】
図１０は本実施形態（３）の、磁石の基本構成を利用したリフト式スタンプ２９の全体斜視図である。スタンプセット２４と支持台セット２１で構成する。
【００３７】
図１１は本実施形態（３）の、スタンプセット２４部分の斜視図である。押圧部材３１の最下面を彫刻するか、彫刻部材２７を固着させ押印することができる。２６は支柱、３０はスタンプ握りである。
【００３８】
図１２は本実施形態（３）の、支持台セット２１部分の斜視図であるが、リフト壁２３、支持台握り２２で構成する。貫通孔９内をスタンプセット２４の支柱２６が所定範囲上下動する。
【００３９】
図１３は本実施形態（３）の、磁石部分を透視した全体構成図である。支柱２６の上部をスタンプ握り３０の差込み穴２５に差込み、また支柱２６の下部を押圧部材３１の差込み穴２５に差込み全体を構成する。
【００４０】
図１４は本実施形態（３）の、側面断面図である。第１磁石３の貫通孔内に第２磁石６が保持されることにより、スタンプセット２４が空中に保持されているか押圧部材３１の広がった形状で係止している。インクを付着させる場合は支持台握り２２部分を親指と中指で持ち、自然に握りしめると、人指し指でスタンプ握り３０を押し下げ、彫刻部材２７部分が支持台セット２１のリフト壁２３最下端より下に突き出る。突き出した形態でスタンプ台（別売されている）のインクを付着させ、指全体の力を抜くとスタンプセット２４は磁力で復帰してリフト壁２３が最下端になる。押印する場合は書類の上に置き、リフト壁を書類と平行に合わせ、人指し指に力を入れスタンプ握り３０を押し下げ押印し、解除により磁力で復帰する。
尚、前記印鑑セット(実施形態１、２)に於いても、印鑑の最下面に彫刻部材２７を固着させることにより同様にスタンプセットとして使用することも出来る。
【００４１】
図１５は本実施形態（４）の、インク内蔵型(以下、浸透式という)にした浸透式スタンプの側面断面図である。インクケース２５、インク及び浸透体２４、彫刻面スポンジ材３４で構成し、他の部分は前記本実施形態（３）の、リフト式スタンプと同様である。また、浸透式のスタンプはすでに磁石を使わないバネ式で、多種市販されているため内部構造の詳細な説明は省略する。
一方、他の実施形態（１〜３及び５〜１０の実施形態）の印鑑、スタンプに於いても内部を刳り貫き、浸透式にしたリフト式スタンプにすることが出来ることはいうまでもない。
【００４２】
（補助磁石を加える構成）
これより、基本磁石の構成に、補助磁石である第３磁石１９を加える実施形態を説明する。
図１６は本実施形態（５）の、磁石部分を透視した印鑑セットの斜視図である。磁石の構成以外は、前記本実施形態（１）の、印鑑セットと同様であり他の図は省略する。
【００４３】
第３磁石１９の役目は、押圧用移動部材の復帰力を補助し復帰距離を伸ばすために使用する。
印鑑１５がサイズ又は材質により重くなった場合、復帰しにくくなる。そこで第３磁石１９を加えることにより復帰距離を約８〜１２ミリ(磁石の強さ、サイズにより更に変わる)ほどにする。また、復帰力を増すことにより印鑑など、係止構造をもたない場合は、押圧時の落下の危険も少なくなり機能性も良くなる。
【００４４】
第３磁石１９の磁極の向きは、第２磁石６と反対に向ける。押し下げにより第１磁石３に接近すると、第１磁石３の反対側の磁極（Ｎ）の影響を受け反発力が働く。第２磁石６の復帰力が弱くなる付近で第３磁石１９の反発力が働くように配置すると連動して機能する。
【００４５】
図１７は本実施形態（６）の、第３磁石１９を加えたリフト式スタンプの側面断面図である。磁石の構成以外は、前記本実施形態（３）のリフト式スタンプと同様であり他の図は省略する。
【００４６】
図１８は本実施形態（７）の、補助磁石である第４磁石２０を印鑑ケース１１側に、さらに加え、磁石部分を透視した印鑑セットの斜視図である。磁石の構成以外は、前記本実施形態（１）の、印鑑セットと同様であり他の図は省略する。磁極の向きは第１磁石３と反対に向ける。印鑑１５の押し下げにより第２磁石６に接近すると、第４磁石２０の貫通孔を通して反対側の磁極（Ｓ）の影響を受け、反発力により復帰力を補助することができる。
また、図解は省略するが第３磁石１９を外した形態での、三つの磁石でも使用することができる。
【００４７】
図１９は本実施形態（８）の、第４磁石２０を支持台１５側に加えたリフト式スタンプの側面断面図である。磁石の構成以外は、前記本実施形態（３）の、リフト式スタンプと同様であり他の図は省略する。
【００４８】
（反発力を使う構成）
図２０は本実施形態（９）の、磁石の反発力を利用し、磁石部分を透視した印鑑セットの斜視図である。磁石の構成以外は、本実施形態（１）の、印鑑と同様であり他の図は省略する。第２磁石６の磁極の向きを第１磁石３と同方向に向け、この場合第２磁石６は第１磁石３により保持されていない。第１磁石３の下面（Ｎ）と第２磁石６の下面（Ｎ）との反発力と、印鑑１５の重さのバランスで静止している。逆さにすると落下する恐れはあるが、機能は同じであり取り出すと普通の印鑑として使用することができる。
【００４９】
図２１は本実施形態（１０）の、リフト式スタンプの側面断面図である。磁石の構成以外は前記本実施形態（３）の、リフト式スタンプと同様であり他の図は省略する。第１磁石３は支持台握り２２内側に固着し、支柱２６は第１磁石３の内部を移動する。第２磁石６は第１磁石３と略同サイズであり、第２磁石６の磁極の向きは第１磁石３と反対方向に向ける。第２磁石６は第１磁石３により保持されていない。反発力でスタンプセット２４は浮いているが押圧部材３１の広がった形状で係止するか、スタンプセット２４の重量とのバランスにより静止しているが押圧した場合、第１磁石３と第２磁石６（ＳＳ）との反発力で復帰する。
【００５０】
では、最後に磁石の形状について説明する。
これまで説明した第１磁石３は、いずれも円形（ドーナツ型を含む）に形成してあるが、本発明の作用効果を奏する範囲であれば、それ以外の形状であってもよい。
たとえば、図２２の（ａ）で示す基本的形状以外に、ドーナツ型の一部を切り欠いた形状（ｃ）、ドーナツ型を半分に分割した形状（ｆ）、ドーナツ型の代わりに矩形型あるいは矩形型で囲んだ（ｂ）（ｄ）（ｅ）（ｇ）、も本発明の技術思想に含まれる。
さらに、上記磁石各々を、（ｈ）に示すように、押圧用移動部材の進退方向と交差する方向に並べた複数（例では３個）の磁石小片によって構成することもできる。このとき、上記磁石小片各々は、互いに磁極方向が同じであることはいうまでもない。上記磁石（磁石小片）の形状や配置等に合わせて押圧用移動部材の形状を適宜変更することも妨げない。
尚、図解は省略するが、第２磁石６、補助磁石である第３磁石１９および第４磁石２０に於いても、第１磁石３と同様に小片に分割及び変形しても、互いに磁極方向が同じであれば機能は同じであることはいうまでもない。
【図面の簡単な説明】
【００５１】
【図１】本発明に関する磁石の相対関係をあらわした図である。
【図２】本発明に関する押圧装置の磁石部分を透視した斜視図である。
【図３】本発明による実施形態（１）の、印鑑セットの全体斜視図である。
【図４】本発明による実施形態（１）の、磁石部分を透視した印鑑セットの全体構成図である。
【図５】本発明による実施形態（１）の、印鑑セットの印鑑蓋を外した斜視図である。
【図６】本発明による実施形態（１）の、印鑑セットの印を押すときの形態である。
【図７】本発明による実施形態（２）の、印鑑セットの全体斜視図である。
【図８】本発明による実施形態（２）の、磁石部分を透視した印鑑セットの全体構成図である。
【図９】本発明による実施形態（２）の、印鑑セットの印を押すときの形態である。
【図１０】本発明による実施形態（３）の、リフト式スタンプの全体斜視図である。
【図１１】本発明による実施形態（３）の、スタンプセット部分の斜視図である。
【図１２】本発明による実施形態（３）の、支持台セット部分の斜視図である。
【図１３】本発明による実施形態（３）の、リフト式スタンプの全体構成図である。
【図１４】本発明による実施形態（３）の、リフト式スタンプの側面断面図である。
【図１５】本発明による実施形態（４）の、インク内蔵型にしたリフト式スタンプの側面断面図である。
【図１６】本発明による実施形態（５）の、補助磁石を加え磁石部分を透視した印鑑セットの斜視図である。
【図１７】本発明による実施形態（６）の、補助磁石を加えたリフト式スタンプの側面断面図である。
【図１８】本発明による実施形態（７）の、第４磁石を加え磁石部分を透視した印鑑セットの斜視図である。
【図１９】本発明による実施形態（８）の、第４磁石を加えたリフト式スタンプの側面断面図である。
【図２０】本発明による実施形態（９）の、磁石の反発力を利用した印鑑セットの磁石部分を透視した斜視図である。
【図２１】本発明による実施形態（１０）の、磁石の反発力を利用したリフト式スタンプの側面断面図である。
【図２２】本発明による実施形態の、磁石部分に使用可能な磁石の形状例をあらわした上面図である。
【符号の説明】
【００５２】
１.  操作端  
２.  押圧用移動部材  
３.  第１磁石
４.  支持台  
５.  自由端  
６.  第２磁石
７.  設置面  
８.  空洞領域
９.  貫通孔
１０.  印鑑蓋  
１１.  印鑑ケース（支持台）
１２.  朱肉ケース  
１３.  印鑑材（印鑑と同一材料）
１４.  空洞部  
１５.  印鑑（押圧用移動部材）
１６.  朱肉      
１７.  朱肉蓋（支持台）    
１８.  透明樹脂（アクリル樹脂など）      
１９.  第３磁石      
２０.  第４磁石    
２１.  支持台セット        
２２.  支持台握り          
２３.  リフト壁            
２４.  スタンプセット      
２５.  差込み穴        
２６.  支柱（押圧用移動部材）          
２７.  彫刻部材（ゴム材など）          
２８.  被押圧面（書類など）
２９.  リフト式スタンプ          
３０.  スタンプ握り                
３１.  押圧部材
３２.  インクケース
３３.  インク及び浸透体
３４.  彫刻面スポンジ材（インクが浸透する多孔性材料など）
【図２２】
2008044343.tif 000003
【図１】
2008044343.tif 000004
【図２】
2008044343.tif 000005
【図３】
2008044343.tif 000006
【図４】
2008044343.tif 000007
【図５】
2008044343.tif 000008
【図６】
2008044343.tif 000009
【図７】
2008044343.tif 000010
【図８】
2008044343.tif 000011
【図９】
2008044343.tif 000012
【図１０】
2008044343.tif 000013
【図１１】
2008044343.tif 000014
【図１２】
2008044343.tif 000015
【図１３】
2008044343.tif 000016
【図１４】
2008044343.tif 000017
【図１５】
2008044343.tif 000018
【図１６】
2008044343.tif 000019
【図１７】
2008044343.tif 000020
【図１８】
2008044343.tif 000021
【図１９】
2008044343.tif 000022
【図２０】
2008044343.tif 000023
【図２１】
2008044343.tif 000024